(57)【要約】【課題】使用者の違和感を低減しながら、左右方向のブレを十分に抑制することが可能なフットウェアのソール構造を提供する。【解決手段】本発明の本発明によるフットウェアのソール構造１は、上側ソール部２と下側ソール部３との間の位置に配置され、上側ソール部２よりも硬質の材料により形成されるとともに足長方向に向かって上下に連続して起伏するプレート部材４を備えている。プレート部材４は、使用者の後足部と対向する後足部分を含むとともに、後足部分における任意の足幅方向の断面視で常に下方向に凸になるように形成されている。【選択図】図５
2018164535.tif 000002
【特許請求の範囲】
【請求項１】
クッション機能を有する上側ソール部と、
前記上側ソール部の下方に配置される下側ソール部と、
前記上側ソール部と前記下側ソール部との間の位置に配置され、前記上側ソール部よりも硬質の材料により形成されるとともに足長方向に向かって上下に連続して起伏するプレート部材とを備え、
前記プレート部材は、使用者の後足部と対向する後足部分を含むとともに、前記後足部分における足幅方向の任意の断面視で常に下方向に凸になるように形成されている、フットウェアのソール構造。
【請求項２】
前記後足部分における足幅方向の断面視において、前記上側ソール部の上面と前記プレート部材の上面との距離は、足幅中央近傍で最も大きい、請求項１に記載のフットウェアのソール構造。
【請求項３】
前記プレート部材は、足長方向の断面視における使用者の踵と対向する部分で、上方向に凸の頂点を有さないように構成されている、請求項１または２に記載のフットウェアのソール構造。
【請求項４】
前記プレート部材は、使用者の前足部と対向する前足部分、中足部と対向する中足部分をさらに含み、
前記前足部分および前記中足部分の少なくとも一方は、足幅方向の断面視で上方向に凸になるように形成されている、請求項１〜３のいずれか１項に記載のフットウェアのソール構造。
【請求項５】
前記プレート部材は、使用者の前足部と対向する前足部分、中足部と対向する中足部分をさらに含み、
前記前足部分および前記中足部分の少なくとも一方は、足幅方向の断面視で足幅方向に向かって上下に連続して起伏するように形成されている、請求項１〜４のいずれか１項に記載のフットウェアのソール構造。
【請求項６】
前記プレート部材は、足長方向の断面視において、使用者の拇指球と対向する部分から後足部方向に向かって上方に傾斜する蹴り出し支持面を含み、
前記蹴り出し支持面は、足幅方向の断面視で上方向に凸または足幅方向に向かって上下に連続して起伏するように形成されている、請求項１〜５のいずれか１項に記載のフットウェアのソール構造。
【発明の詳細な説明】
【技術分野】
【０００１】
本発明は、フットウェアのソール構造に関し、特に、上側ソール部と、下側ソール部と、上側ソール部と下側ソール部との間の位置に配置されたプレート部材とを備えるフットウェアのソール構造に関する。
【背景技術】
【０００２】
従来、上部ミッドソール（上側ソール部）と、下部ミッドソール（下側ソール部）と、上部ミッドソールと下部ミッドソールとの間の位置に配置された波形シート（プレート部材）とを備えるフットウェアのソール構造が知られている（特許文献１）。このフットウェアのソール構造の波形シートは、使用者の後足部と対向する位置に設けられており、足長方向に向かって上下に連続して起伏する波形形状となるように構成されている。そして、特許文献１では、波形シートは、足幅方向の中央部分で振幅が小さくなり、内甲側および外甲側に向かうにつれて振幅が大きくなる構成が開示されている。
【先行技術文献】
【特許文献】
【０００３】
【特許文献１】特許第３３０８４８２号公報
【発明の概要】
【発明が解決しようとする課題】
【０００４】
しかしながら、上記特許文献１のフットウェアのソール構造では、波形シートの足幅方向の断面視の形状が切断部分によって異なる。具体的には、波形シートの振幅が上に凸の箇所における断面視は、足幅方向の中央部分、すなわち、使用者の踵と対向する部分で下方向に凸となる。このため、使用者の踵と波形シートの表面との間の距離が大きくなるため、ソール内に波形シートが介在することに起因する違和感が生じ難くなる。
【０００５】
一方で、波形シートの振幅が下に凸の箇所における断面視は、足幅方向の中央部分で上方向に凸となる。すなわち、足幅方向の断面視で波形シートの内甲外甲両端が下方向に沈み込む形状となる。このため、波形シートの振幅が下に凸の箇所では、上部ミッドソールの上面と波形シートの内甲外甲両端部分との距離が大きくなりすぎ、上部ミッドソールのクッション性に起因する足幅方向のブレを十分に抑制できないという問題点があった。
【０００６】
本発明は上記課題を解決するためになされたものであり、使用者の違和感を低減しながら、左右方向のブレを十分に抑制することが可能なフットウェアのソール構造を提供することを目的とする。
【課題を解決するための手段】
【０００７】
上記課題を解決するために、本発明によるフットウェアのソール構造は、クッション機能を有する上側ソール部と、上側ソール部の下方に配置される下側ソール部と、上側ソール部と下側ソール部との間の位置に配置され、上側ソール部よりも硬質の材料により形成されるとともに足長方向に向かって上下に連続して起伏するプレート部材とを備えている。プレート部材は、使用者の後足部と対向する後足部分を含むとともに、後足部分における足幅方向の任意の断面視で常に下方向に凸になるように形成されている。
【０００８】
このフットウェアのソール構造では、上記のように、プレート部材を、後足部分における足幅方向の任意の断面視で常に下方向に凸になるように形成することによって、足幅方向の中央部分で上下に起伏する振幅を小さくしなくても、足幅方向中央における上側ソール部の上面とプレート部材の上面との距離を常時大きくすることができるので、その分、上側ソール部によりクッション性を向上することができる。これにより、プレート部材の表面の硬さが使用者の踵に伝達し難くなるので、使用者の違和感を低減することができる。また、上記構成によって、プレート部材の足幅方向の内甲外甲両端が常時上方向にせり上がるようになるので、内甲外甲両端における上側ソール部の上面とプレート部材との距離を小さくすることができる。これにより、上部ミッドソールのクッション性に起因する左右方向のブレを十分に抑制することができる。以上より、本発明のフットウェアのソール構造では、使用者の違和感を低減しながら、足幅方向のブレを十分に抑制することができる。
【０００９】
また、上記フットウェアのソール構造において、好ましくは、後足部分における足幅方向の断面視において、上側ソール部の上面とプレート部材の上面との距離は、足幅中央近傍で最も大きい。このように構成すれば、使用者の踵の衝撃が最も大きい踵骨の下側突起の下方の上側ソール部の厚みを大きくすることができるので、使用者の違和感をより低減することができる。
【００１０】
また、上記フットウェアのソール構造において、好ましくは、プレート部材は、足長方向の断面視における使用者の踵と対向する部分で、上方向に凸の頂点を有さないように構成されている。このように構成すれば、プレート部材による突き上げが生じ難くなるので、使用者の違和感をより低減することができる。
【００１１】
また、上記フットウェアのソール構造において、好ましくは、プレート部材は、使用者の前足部と対向する前足部分、中足部と対向する中足部分をさらに含み、前足部分および中足部分の少なくとも一方は、足幅方向の断面視で上方向に凸になるように形成されている。このように構成すれば、プレート部材の前足部分および中足部分の少なくとも一方において、プレート部材が前後方向かつ下側に凸になるように変形する際の曲げ剛性を向上させることができる。これにより、使用者の前足部および中足部による蹴り出し時の反発性を向上させることができるので、歩行または走行時における使用者の足運びを力強くかつスムーズにすることができる。
【００１２】
また、上記フットウェアのソール構造において、好ましくは、プレート部材は、使用者の前足部と対向する前足部分、中足部と対向する中足部分をさらに含み、前足部分および中足部分の少なくとも一方は、足幅方向の断面視で足幅方向に向かって上下に連続して起伏するように形成されている。このように構成すれば、プレート部材の前足部分および中足部分の少なくとも一方において、プレート部材が前後方向に変形する際の曲げ剛性を向上させることができる。これにより、使用者の前足部および中足部による蹴り出し時の反発性を向上させることができるので、歩行または走行時における使用者の足運びを力強くかつスムーズにすることができる。
【００１３】
また、上記フットウェアのソール構造において、好ましくは、プレート部材は、足長方向の断面視において、使用者の拇指球と対向する部分から後足部方向に向かって上方に傾斜する蹴り出し支持面を含み、蹴り出し支持面は、足幅方向の断面視で上方向に凸または足幅方向に向かって上下に連続して起伏するように形成されている。このように構成すれば、拇指球と対向する部分から後足部方向に向かって上方に傾斜する蹴り出し支持面が使用者の蹴り出し時の荷重の向きと交差するので、蹴り出し支持面により使用者の蹴り出し時の荷重を受け止めることができる。また、蹴り出し支持面を、足幅方向の断面視で上方向に凸または足幅方向に向かって上下に連続して起伏するように形成することによって、蹴り出し支持面の剛性を向上させることができるので、使用者の蹴り出し時の荷重を確実に受け止めることができる。
【発明の効果】
【００１４】
本発明に係るフットウェアのソール構造によれば、使用者の違和感を低減しながら、足幅方向のブレを十分に抑制することができる。
【図面の簡単な説明】
【００１５】
【図１】本発明の第１実施形態によるフットウェアのソール構造の底面図である。
【図２】図１のＡ−Ａ断面図である。
【図３】図１のフットウェアのソール構造と使用者の骨格とを重ね合わせた平面図である。
【図４】図１のＢ−Ｂ断面図である。
【図５】図１のＣ−Ｃ断面図である。
【図６】本発明の第２実施形態によるフットウェアのソール構造を足長方向に切断した断面図である。
【図７】本発明の第２実施形態によるフットウェアのソール構造を、前足部分または中足部分で足幅方向に切断した模式断面図である。
【発明を実施するための形態】
【００１６】
（第１実施形態）
図１〜図５を参照して、本発明の第１実施形態によるフットウェアのソール構造１について説明する。なお、第１実施形態の図２、図４および図５は、断面図であるが、見やすくするためハッチングを省略している。
【００１７】
図１〜図３に示すように、フットウェアのソール構造１は、上側ソール部２と、上側ソール部２の下方に配置される下側ソール部３と、上側ソール部２と下側ソール部３との間の位置に配置されたプレート部材４とを備えている。上側ソール部２は、たとえば、発泡ＥＶＡや発泡ウレタン等の発泡樹脂により形成されており、走行または歩行等における着地時の衝撃を緩和するクッション機能を有する。下側ソール部３は、たとえば、発泡ＥＶＡや発泡ウレタン等の発泡樹脂またはゴム、あるいは、発泡材料よりも比較的耐摩耗性に優れている発泡させていないウレタンやゴムにより形成されている。なお、第１実施形態では、下側ソール部３は、直接的に地面に当接する構成となっているが、下側ソール部３の下方に、より耐摩耗性を有する材料からなるアウトソールが設けられていてもよい。
【００１８】
また、プレート部材４は、図２に示すように、上側ソール部２よりも硬質かつ弾性変形可能な材料、たとえば、ポリアミドやポリエチレンなどの弾性変形可能な樹脂により形成されており、足長方向に向かって上下に連続して起伏するように構成されている。換言すると、プレート部材４は、足長方向の断面視で、足長方向に延びるとともに上下に振幅幅を有する、連続する波形形状となるように構成されている。また、プレート部材４は、その足幅方向の長さが上側ソール部２および下側ソール部３の足幅方向の長さよりも小さく、外部からは見えないように上側ソール部２と下側ソール部３との間に配置されている。
【００１９】
また、プレート部材４は、図２および図３に示すように、使用者の前足部と対向する前足部分４ａと、使用者の中足部と対向する中足部分４ｂと、使用者の踵を含む後足部と対向する後足部分４ｃとを含んでおり、前足部分４ａ、中足部分４ｂおよび後足部分４ｃは、一体的に形成されている。
【００２０】
プレート部材４の前足部分４ａおよび中足部分４ｂは、図４に示すように、足幅方向の断面視で上方向に凸になるように形成されている。具体的には、前足部分４ａおよび中足部分４ｂは、それぞれ、足幅方向の断面視で、足幅方向の中央部分近傍が頂点Ｃ１となる円弧状に形成されている。
【００２１】
また、プレート部材４は、図２および図３に示すように、足長方向の断面視において、使用者の拇指球Ｑと対向する部分から後足部方向に向かって上方に傾斜する蹴り出し支持面４ｄを含んでいる。この蹴り出し支持面４ｄは、前足部分４ａおよび中足部分４ｂの境界ＦＭおよび境界ＦＭ前後に亘って設けられており、使用者のＭＰ関節ＭＰと対向するように設けられている。また、蹴り出し支持面４ｄは、足幅方向の内甲側および外甲側に亘って形成されている。
【００２２】
ここで、第１実施形態では、図５に示すように、プレート部材４の後足部分４ｃは、足幅方向の断面視で下方向に凸になるように形成されている。具体的には、後足部分４ｃは、足幅方向の断面視で、足幅方向の中央部分近傍が頂点Ｃ２となる円弧状に形成されている。また、図示しないが、後足部分４ｃは、前後方向に亘って、足幅方向の任意の断面視で、常に連続して下方向に凸になるように形成されている。すなわち、後足部分４ｃにおける足幅方向のどこの断面でも、プレート部材４は、足幅方向の断面視で下方向に凸になるように形成されている。また、後足部分４ｃにおける足幅方向の断面視において、上側ソール部２の上面２ａとプレート部材４の上面４ｅとの距離Ｄは、足幅中央近傍で最も大きい。なお、第１実施形態では、プレート部材４の波形形状の振幅は、足幅方向の中央部分と内外甲部分とで同じ高さを有している。
【００２３】
また、第１実施形態では、図２に示すように、プレート部材４は、足長方向の断面視における踵Ｋと対向する部分で、上方向に凸の頂点を有さないように構成されている。具体的には、プレート部材４は、後足部分４ｃにおける足長方向の断面視で、唯一の下方向への凸部４ｆを有している。この凸部４ｆは、使用者の踵骨の下側突起Ｐ近傍と対向する位置に設けられており、これにより、踵Ｋの最下部とプレート部材４上面との距離がより大きくなる。
【００２４】
また、プレート部材４の中足部分４ｂと後足部分４ｃとの境界ＭＲ（図３参照）では、足幅方向の断面視で略平坦面となっている。すなわち、プレート部材４は、前足部分４ａおよび中足部分４ｂにおいて、使用者の蹴り出しの力を効率的に伝達するために剛性を大きくするように構成され、後足部分４ｃにおいて、クッション性を高めるために上側ソール部２の厚みを大きくすることが可能なように構成されている。
【００２５】
上記のように、第１実施形態では、プレート部材４を、後足部分４ｃにおける足幅方向の任意の断面視で常に下方向に凸になるように形成することによって、足幅方向の中央部分で上下に起伏する振幅を小さくしなくても、足幅方向中央における上側ソール部２の上面とプレート部材４の上面との距離を常時大きくすることができるので、その分、上側ソール部２によりクッション性を向上することができる。これにより、プレート部材４の表面の硬さが使用者の踵に伝達し難くなるので、使用者の違和感を低減することができる。また、上記構成によって、プレート部材４の足幅方向の内甲外甲両端が常時上方向にせり上がるようになるので、内甲外甲両端における上側ソール部２の上面とプレート部材４との距離を小さくすることができる。これにより、上側ソール部２のクッション性に起因する左右方向のブレを十分に抑制することができる。以上より、本発明のフットウェアのソール構造１では、使用者の違和感を低減しながら、足幅方向のブレを十分に抑制することができる。
【００２６】
また、第１実施形態では、後足部分４ｃにおける足幅方向の断面視において、上側ソール部２の上面２ａとプレート部材４の上面４ｅとの距離を、足幅中央近傍で最も大きくすることによって、使用者の踵の衝撃が最も大きい踵骨の下側突起Ｐの下方の上側ソール部２の厚みを大きくすることができるので、使用者の違和感をより低減することができる。
【００２７】
また、第１実施形態では、プレート部材４を、足長方向の断面視における踵Ｋと対向する部分で、上方向に凸の頂点を有さないように構成することによって、プレート部材４による突き上げが生じなくなるので、使用者の違和感をより低減することができる。
【００２８】
また、第１実施形態では、前足部分４ａおよび中足部分４ｂを、足幅方向の断面視で上方向に凸になるように形成することによって、プレート部材４の前足部分４ａおよび中足部分４ｂにおいて、プレート部材４が前後方向かつ下側に凸になるように変形する際の曲げ剛性を向上させることができる。これにより、使用者の前足部および中足部による蹴り出し時の反発性を向上させることができるので、歩行または走行時における使用者の足運びを力強くかつスムーズにすることができる。
【００２９】
また、第１実施形態では、プレート部材４に、足長方向の断面視において、使用者の拇指球Ｑと対向する部分から後足部方向に向かって上方に傾斜する蹴り出し支持面４ｄを設けることによって、拇指球と対向する部分から後足部方向に向かって上方に傾斜する蹴り出し支持面４ｄが使用者の蹴り出し時の荷重の向きＸと交差するので、蹴り出し支持面４ｄにより使用者の蹴り出し時の荷重を受け止めることができる。また、蹴り出し支持面４ｄを、足幅方向の断面視で上方向に凸となるように形成することによって、蹴り出し支持面４ｄの剛性を向上させることができるので、使用者の蹴り出し時の荷重を確実に受け止めることができる。
【００３０】
（第２実施形態）
次に、図６および図７を参照して、本発明の第２実施形態によるフットウェアのソール構造１０について説明する。なお、第２実施形態の図６および図７は、断面図であるが、見やすくするためハッチングを省略している。また、第１実施形態によるフットウェアのソール構造１では、プレート部材４の前足部分４ａおよび中足部分４ｂを、足幅方向の断面視で上方向に凸になるように形成したが、第２実施形態によるフットウェアのソール構造１０では、プレート部材４０の前足部分４０ａおよび中足部分４０ｂを、足幅方向の断面視で足幅方向に向かって上下に連続して起伏する波形形状に形成されている。
【００３１】
図６に示すように、プレート部材４０の前足部分４０ａおよび中足部分４０ｂは、足長方向の断面視で足長方向に向かって上下に連続して起伏する波形形状に形成されている。また、プレート部材４０は、足長方向の断面視において、使用者の拇指球Ｑと対向する部分から後足部方向に向かって上方に傾斜する蹴り出し支持面４０ｄを含んでいる。この蹴り出し支持面４０ｄは、前足部分４０ａおよび中足部分４０ｂの境界および境界前後に亘って設けられており、使用者のＭＰ関節ＭＰと対向するように設けられている。
【００３２】
また、第２実施形態では、図７に示すように、プレート部材４０の前足部分４０ａおよび中足部分４０ｂは、足幅方向の断面視で足幅方向に向かって上下に連続して起伏する波形形状に形成されている。具体的には、プレート部材４０の前足部分４０ａおよび中足部分４０ｂには、足幅方向の断面視で４つの上に凸の上頂点部４０ｇを有しているとともに、３つの下に凸の下頂点部４０ｈを有している。
【００３３】
なお、第２実施形態のその他の構成は、上記第１実施形態の構成と同様なので、説明を省略する。
【００３４】
上記のように、第２実施形態では、プレート部材４０の前足部分４０ａおよび中足部分４０ｂを、足幅方向の断面視で足幅方向に向かって上下に連続して起伏するように形成することによって、プレート部材４０の前足部分４０ａおよび中足部分４０ｂにおいて、プレート部材４０が前後方向に変形する際の曲げ剛性を向上させることができる。これにより、使用者の前足部および中足部による蹴り出し時の反発性を向上させることができるので、歩行または走行時における使用者の足運びを力強くかつスムーズにすることができる。
【００３５】
また、第２実施形態では、上記のように、蹴り出し支持面４０ｄを、足幅方向の断面視で上方向に凸または足幅方向に向かって上下に連続して起伏するように形成することによって、蹴り出し支持面４０ｄの剛性を向上させることができるので、使用者の蹴り出し時の荷重を確実に受け止めることができる。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記第１および第２実施形態では、前足部分、中足部分および後足部分が一体的に形成されたプレート部材を設けた例を示したが、本発明はこれに限られない。本発明では、たとえば、後足部分のみからなるプレート部材であってもよい。また、前足部分および中足部分と後足部分とを分割して設けてもよい。
【００３８】
また、上記第１実施形態では、前足部分および中足部分の両方で、プレート部材を、足幅方向の断面視で上方向に凸になるように形成した例を示したが、本発明はこれに限られない。本発明では、たとえば、前足部または中足部のいずれか一方で、プレート部材を、足幅方向の断面視で上方向に凸になるように形成してもよい。
【００３９】
また、上記第２実施形態では、前足部分および中足部分の両方で、プレート部材を、足幅方向の断面視で足幅方向に向かって上下に連続して起伏するように形成した例を示したが、本発明はこれに限られない。本発明では、たとえば、前足部または中足部のいずれか一方で、プレート部材を、足幅方向の断面視で足幅方向に向かって上下に連続して起伏するように形成してもよい。
【００４０】
また、上記第１および第２実施形態では、プレート部材が、外部からは見えないように上側ソールと下側ソールとの間に配置されている例について示したが、本発明はこれに限られない。本発明では、上側ソールと下側ソールとの間からプレート部材が見えてもよいし、下側ソールの底面にプレート部材が見えるような開口が設けられていてもよい。
【符号の説明】
【００４１】
１、１０  フットウェアのソール構造
２  上側ソール部
２ａ  上面
３  下側ソール部
４、４０  プレート部材
４ａ、４０ａ  前足部分
４ｂ、４０ｂ  中足部分
４ｃ、４０ｃ  後足部分
４ｄ、４０ｄ  蹴り出し支持面
４ｅ  上面
Ｃ１  頂点
Ｃ２  頂点
ＭＰ  ＭＰ関節
Ｑ  拇指球
【図１】
2018164535.tif 000003
【図２】
2018164535.tif 000004
【図３】
2018164535.tif 000005
【図４】
2018164535.tif 000006
【図５】
2018164535.tif 000007
【図６】
2018164535.tif 000008
【図７】
2018164535.tif 000009